(57)【特許請求の範囲】
【請求項１】
入力された信号に応じて一定の振幅及び一定のパルス幅をもつ信号パルスを発生させる変調手段と、
前記信号パルスと前記信号パルスの間に前記信号パルスとパルス幅と振幅との少なくとも一つが異なり、かつ振幅が異なる場合は前記信号パルスよりも振幅が小さいダミーパルスを発生させるダミーパルス発生手段と、
前記信号パルス及び前記ダミーパルスを光信号に変換して送信する送信手段とを備えた光送信装置と、
前記光信号を受信し電気信号に変換する受信手段と、
該受信手段を用いて得られた電気信号に含まれる受信パルスを受信し、所定の初期レベル以上のレベルをもつ信号であり、前記受信パルスに含まれる任意の一つのパルスの受信開始時のレベルよりも該パルスのピークが大きい場合、該ピーク付近まで変化し、前記受信パルスに含まれる任意の一つのパルスの受信終了後、所定の一定速度で前記初期レベルに向かって変化するような信号である検出用信号を生成する検出用信号生成手段と、
前記受信パルスのうち前記信号パルスと前記ダミーパルスに対応するパルスでパルス幅または振幅が異なることに基づき前記受信パルスの中から前記ダミーパルスに対応するパルスを検出して除去するダミーパルス除去手段と、
該ダミーパルス除去手段によって前記受信パルスの中から前記ダミーパルスに対応するパルスを除去されたパルスと前記検出用信号生成手段によって生成された前記検出用信号とを比較し該比較結果に応じて２値信号を生成する比較手段と、
該比較手段から出力される前記２値信号を復調して出力する復調手段とを備えた光受信装置と、
を有することを特徴とする光通信システム。
【請求項２】
入力された信号に応じて一定の振幅及び一定のパルス幅をもつ信号パルスを発生させる変調手段と、
前記信号パルスと前記信号パルスの間に前記信号パルスとパルス幅が異なるダミーパルスを発生させるダミーパルス発生手段と、
前記信号パルス及び前記ダミーパルスを光信号に変換して送信する送信手段とを備えた光送信装置と、
前記光信号を受信し電気信号に変換する受信手段と、
該受信手段を用いて得られた電気信号に含まれる受信パルスを受信し、所定の初期レベル以上のレベルをもつ信号であり、前記受信パルスに含まれる任意の一つのパルスの受信開始時のレベルよりも該パルスのピークが大きい場合、該ピーク付近まで変化し、前記受信パルスに含まれる任意の一つのパルスの受信終了後、所定の一定速度で前記初期レベルに向かって変化する信号である検出用信号を生成する検出用信号生成手段と、
前記受信パルスと前記検出用信号生成手段によって生成された前記検出用信号とを比較し該比較結果に応じて２値信号を生成する比較手段と、
該比較手段から出力される前記２値信号のパルスのうち前記信号パルスと前記ダミーパルスに対応するパルスでパルス幅が異なることに基づき前記２値信号のパルスの中から前記ダミーパルスに対応するパルスを検出して除去するダミーパルス除去手段と、
該ダミーパルス除去手段によって前記２値信号のパルスの中から前記ダミーパルスに対応するパルスを除去されたパルスを復調して出力する復調手段とを備えた光受信装置と、
を有することを特徴とする光通信システム。
【請求項３】
前記光送信装置の前記送信手段は、副搬送波に重畳された前記信号パルス及び前記ダミーパルスを光信号に変換して送信し、
前記光受信装置は、前記受信手段を用いて得られた電気信号から前記受信パルスを抽出して出力する副搬送波復調回路を備えることを特徴とする請求項１または請求項２に記載の光通信システム。
【請求項４】
入力された信号に応じて一定の振幅及び一定のパルス幅をもつ信号パルスを発生させる変調手段と、
前記信号パルスと前記信号パルスの間に前記信号パルスとパルス幅と振幅との少なくとも一つが異なるダミーパルスを発生させるダミーパルス発生手段と、
前記信号パルスと前記ダミーパルスとに異なる周波数の副搬送波を重畳する手段と、
前記副搬送波が重畳された前記信号パルス及び前記ダミーパルスを光信号に変換して送信する送信手段とを備えた光送信装置と、
前記光信号を受信し電気信号に変換する受信手段と、
前記信号パルスに重畳された前記副搬送波の周波数を中心周波数とするバンドパスフィルタを有し、前記受信手段を用いて得られた電気信号から前記信号パルスと前記ダミーパルスに対応するパルスを含む受信パルスを抽出し出力する副搬送波復調回路と、
前記受信パルスを受信し、所定の初期レベル以上のレベルをもつ信号であり、前記受信パルスに含まれる任意の一つのパルスの受信開始時のレベルよりも該パルスのピークが大きい場合、該ピーク付近まで変化し、前記受信パルスに含まれる任意の一つのパルスの受信終了後、所定の一定速度で前記初期レベルに向かって変化する信号である検出用信号を生成する検出用信号生成手段と、
前記受信パルスのうち前記信号パルスに対応するパルスが前記ダミーパルスに対応するパルスよりも振幅が大きいことに基づき前記受信パルスの中から前記ダミーパルスに対応するパルスを検出して除去するダミーパルス除去手段と、
該ダミーパルス除去手段によって前記受信パルスの中から前記ダミーパルスに対応するパルスを除去されたパルスと前記検出用信号生成手段によって生成された前記検出用信号とを比較し該比較結果に応じて２値信号を生成する比較手段と、
該比較手段から出力される前記２値信号を復調して出力する復調手段とを備えた光受信装置と、
を有することを特徴とする光通信システム。
【請求項５】
前記送信装置において、前記ダミーパルス発生手段が前記ダミーパルスを発生させる間隔が可変であることを特徴とする請求項１〜請求項４のいずれかに記載の光通信システム。
【請求項６】
請求項１〜請求項５のいずれかに記載の光通信システムが有する前記光送信装置と前記光受信装置とを備えることを特徴とする光送受信装置。
【請求項７】
請求項１または請求項２に記載の光通信システムが有する前記光送信装置と前記光受信装置とを備える光送受信装置であって、
受信モードでは、前記光受信装置によって受信された信号の誤りを検出し、誤りの発生状況を示す信号を前記光送信装置を用いて送信し、一方、送信モードでは、前記光受信装置によって受信された信号が示す誤りの発生状況に応じて前記光送信装置が前記ダミーパルスを送信する間隔を制御する信号処理装置を備えることを特徴とする光送受信装置。
【請求項８】
請求項１〜請求項５のいずれかに記載の光通信システムが有する前記光送信装置。
【請求項９】
請求項１〜請求項５のいずれかに記載の光通信システムが有する前記光受信装置。
【発明の詳細な説明】
【０００１】
【発明の属する技術分野】
本発明は、例えば、赤外線などを用いて光通信を行う光通信システムに関するものである。
【０００２】
【従来の技術】
赤外線を用いて通信を行う赤外線通信システムの従来の一構成例を図１０に示す。送信側Ｔには、変調回路１１０、ドライブ回路１２０、及び、発光素子１３からなる光送信装置１が設けられている。受信側Ｒには、受光素子２１、電流／電圧変換回路２２、アンプ２３、検出レベル生成回路２４、ヒステリシスコンパレータ２５、及び、復調回路２６からなる光受信装置２が設けられている。尚、図には示していないが、送信側Ｔには光送信装置により送信する対象となる信号を発生する装置が、受信側Ｒには光受信装置で受信した信号に基づいて動作する装置が、それぞれ設けられているものとする。
【０００３】
送信側Ｔでは、光送信装置１の端子ＩＮに入力された信号は変調回路１１０に入力される。変調回路１１０は入力された信号に応じて一定の振幅及び一定のパルス幅をもつ信号パルスを発生させることにより変調を行う。ドライブ回路１２０は変調回路１１０から出力される変調信号に基づいて発光素子１３に電流を流す。これにより、信号パルスが赤外線で送信される。
【０００４】
受信側Ｒでは、受光素子２１には受光した赤外線の強度に応じた電流が流れ、この電流は電流／電圧変換回路２２で電圧に変換される。電流／電圧変換回路２２から出力される電圧はアンプ２３で増幅される。検出レベル生成回路２４はアンプ２３から出力される信号に基づいて検出用信号を生成する。
【０００５】
アンプ２３から出力される信号と検出レベル生成回路２４から出力される検出用信号とはヒステリシスコンパレータ２５で比較され、この比較結果に応じた２値信号が得られる。ヒステリシスコンパレータ２５で得られた２値信号は、送信側Ｔに設けられた変調回路１１にて行われる変調に対応した復調が復調回路２６で行われ、光受信装置２の出力端子ＯＵＴから出力される。
【０００６】
検出用信号とは、図１１にＳＫで示すように、アンプ２３から出力される信号（以下、「受信電気信号」と言う）ＳＡに含まれるパルス（以下、「受信パルス」と言う）のうち、当該検出用信号のレベルよりも大きなピークをもつ受信パルスに同期して該受信パルスのピークに応じたレベル（具体的には、そのピーク付近）に変化し、その後、ある時定数をもって初期レベルＨに変化する信号である。
【０００７】
尚、検出用信号を生成する検出用信号生成回路２４は、例えば、入力信号のレベルが出力信号のレベルよりも大きくなる毎に、入力信号を積分して出力するような構成である。
【０００８】
以上より、図１０中の各ノードＡ、Ｂ、Ｃ、Ｄの電圧波形は、例えば図１２に示すようになり、ヒステリシスコンパレータ２５により検出用信号のレベルより大きなパルスをもつ受信パルスが信号パルスとして検出され、負のパルスとして得られる。
【０００９】
尚、検出用信号の初期レベルはパルスの検出感度向上の観点からは低ければ低いほど良いが、初期レベルが低いほどノイズを拾いやすくなる（ノイズを信号パルスとして誤検出しやすくなる）ので、要求されるＳ／Ｎ比によって決定される。また、検出用信号を受信パルスに同期して受信パルスのピーク付近に変化させているが、これはノイズを拾いにくくするためである。
【００１０】
【発明が解決しようとする課題】
しかしながら、上記従来の赤外線通信システムでは、図１３に示すように、検出用信号のレベルが低下する時定数に比して無信号期間ＴＯＦＦが長い場合、ノードＢの電圧に乗ったノイズＮに起因して、誤った信号パルスＭが発生しやすくなる。その結果、受信側Ｒでの誤動作が多いという問題があった。
【００１１】
尚、検出用信号のレベルが低下する時定数を長くすればするほど上記問題は生じにくくなるが、検出用信号のレベルが低下する時定数を長くするには、検出レベル生成回路が例えばＣＲ積分回路で構成されている場合は、その容量を大きくする、あるいは、その容量の放電電流を小さくする方法が考えられるが、容量を大きくすると回路面積の増大を招き、容量の放電電流を小さくすると外乱ノイズの影響を受けやすくなってしまう。
【００１２】
また、１つの光受信装置で複数の光送信装置から順次送信されてくる信号を受信する場合を考慮にいれると、ある光送信装置からの送信が終了した後は、検出用信号のレベルができるだけ早く初期レベルに戻らなければならない。
【００１３】
というのは、各光送信装置毎に光受信装置との距離及び方向が異なるため、光送信装置によっては信号パルスに対応する受信パルスのレベルが低く、検出用信号が初期レベル付近に戻らないと信号パルスに対応する受信パルスを検出することができない場合があり、このような場合には、検出用信号のレベルが低下する時定数が長いと、受信可能となるまでの時間が長くなるからである。言い換えると、検出用信号のレベルが低下する時定数を長くすることは、次の信号を受信可能となるまでの時間を長くすることになり、光通信システムの伝送速度を低下させることになる。
【００１４】
いずれにせよ、検出用信号が低下する時定数を長くすることは、検出用信号のレベルが低下する時定数に比して無信号期間ＴＯＦＦが長い場合に生じる上記問題を根本的に解決するものではない。
【００１５】
そこで、本発明は、受信側で生じる誤動作を低減した光通信システムを提供することを目的とする。
【００１６】
【課題を解決するための手段】
上記の目的を達成するため、本発明の光通信システムは、入力された信号に応じて一定の振幅及び一定のパルス幅をもつ信号パルスを発生させる変調手段と、
前記信号パルスと前記信号パルスの間に前記信号パルスとパルス幅と振幅との少なくとも一つが異なり、かつ振幅が異なる場合は前記信号パルスよりも振幅が小さいダミーパルスを発生させるダミーパルス発生手段と、
前記信号パルス及び前記ダミーパルスを光信号に変換して送信する送信手段とを備えた光送信装置と、
前記光信号を受信し電気信号に変換する受信手段と、
該受信手段を用いて得られた電気信号に含まれる受信パルスを受信し、所定の初期レベル以上のレベルをもつ信号であり、前記受信パルスに含まれる任意の一つのパルスの受信開始時のレベルよりも該パルスのピークが大きい場合、該ピーク付近まで変化し、前記受信パルスに含まれる任意の一つのパルスの受信終了後、所定の一定速度で前記初期レベルに向かって変化するような信号である検出用信号を生成する検出用信号生成手段と、
前記受信パルスのうち前記信号パルスと前記ダミーパルスに対応するパルスでパルス幅または振幅が異なることに基づき前記受信パルスの中から前記ダミーパルスに対応するパルスを検出して除去するダミーパルス除去手段と、
該ダミーパルス除去手段によって前記受信パルスの中から前記ダミーパルスに対応するパルスを除去されたパルスと前記検出用信号生成手段によって生成された前記検出用信号とを比較し該比較結果に応じて２値信号を生成する比較手段と、
該比較手段から出力される前記２値信号を復調して出力する復調手段とを備えた光受信装置と、
を有することを特徴とする（以下、本構成を第１の構成と呼ぶ）。
【００１７】
また、本発明の光通信システムは、入力された信号に応じて一定の振幅及び一定のパルス幅をもつ信号パルスを発生させる変調手段と、
前記信号パルスと前記信号パルスの間に前記信号パルスとパルス幅が異なるダミーパルスを発生させるダミーパルス発生手段と、
前記信号パルス及び前記ダミーパルスを光信号に変換して送信する送信手段とを備えた光送信装置と、
前記光信号を受信し電気信号に変換する受信手段と、
該受信手段を用いて得られた電気信号に含まれる受信パルスを受信し、所定の初期レベル以上のレベルをもつ信号であり、前記受信パルスに含まれる任意の一つのパルスの受信開始時のレベルよりも該パルスのピークが大きい場合、該ピーク付近まで変化し、前記受信パルスに含まれる任意の一つのパルスの受信終了後、所定の一定速度で前記初期レベルに向かって変化する信号である検出用信号を生成する検出用信号生成手段と、
前記受信パルスと前記検出用信号生成手段によって生成された前記検出用信号とを比較し該比較結果に応じて２値信号を生成する比較手段と、
該比較手段から出力される前記２値信号のパルスのうち前記信号パルスと前記ダミーパルスに対応するパルスでパルス幅が異なることに基づき前記２値信号のパルスの中から前記ダミーパルスに対応するパルスを検出して除去するダミーパルス除去手段と、
該ダミーパルス除去手段によって前記２値信号のパルスの中から前記ダミーパルスに対応するパルスを除去されたパルスを復調して出力する復調手段とを備えた光受信装置と、
を有することを特徴とする（以下、本構成を第２の構成と呼ぶ）。
【００１８】
これらの構成によれば、光受信装置では検出用信号が初期レベルよりも大きなレベル以上に保たれるので、ノイズを拾いにくくなり、受信側での誤動作が低減する。
【００１９】
また、本発明の光通信システムは、第１または第２の構成の光通信システムにおいて、前記光送信装置の前記送信手段は、副搬送波に重畳された前記信号パルス及び前記ダミーパルスを光信号に変換して送信し、前記光受信装置は、前記受信手段を用いて得られた電気信号から前記受信パルスを抽出して出力する副搬送波復調回路を備えることを特徴とする（以下、本構成を第３の構成と呼ぶ）。このような構成によれば、信号パルス及びダミーパルスを副搬送波に乗せて送信するので、通信距離を伸ばすことができる。
【００２０】
また、本発明の光通信システムは、入力された信号に応じて一定の振幅及び一定のパルス幅をもつ信号パルスを発生させる変調手段と、
前記信号パルスと前記信号パルスの間に前記信号パルスとパルス幅と振幅との少なくとも一つが異なるダミーパルスを発生させるダミーパルス発生手段と、
前記信号パルスと前記ダミーパルスとに異なる周波数の副搬送波を重畳する手段と、
前記副搬送波が重畳された前記信号パルス及び前記ダミーパルスを光信号に変換して送信する送信手段とを備えた光送信装置と、
前記光信号を受信し電気信号に変換する受信手段と、
前記信号パルスに重畳された前記副搬送波の周波数を中心周波数とするバンドパスフィルタを有し、前記受信手段を用いて得られた電気信号から前記信号パルスと前記ダミーパルスに対応するパルスを含む受信パルスを抽出し出力する副搬送波復調回路と、
前記受信パルスを受信し、所定の初期レベル以上のレベルをもつ信号であり、前記受信パルスに含まれる任意の一つのパルスの受信開始時のレベルよりも該パルスのピークが大きい場合、該ピーク付近まで変化し、前記受信パルスに含まれる任意の一つのパルスの受信終了後、所定の一定速度で前記初期レベルに向かって変化する信号である検出用信号を生成する検出用信号生成手段と、
前記受信パルスのうち前記信号パルスに対応するパルスが前記ダミーパルスに対応するパルスよりも振幅が大きいことに基づき前記受信パルスの中から前記ダミーパルスに対応するパルスを検出して除去するダミーパルス除去手段と、
該ダミーパルス除去手段によって前記受信パルスの中から前記ダミーパルスに対応するパルスを除去されたパルスと前記検出用信号生成手段によって生成された前記検出用信号とを比較し該比較結果に応じて２値信号を生成する比較手段と、
該比較手段から出力される前記２値信号を復調して出力する復調手段とを備えた光受信装置と、
を有することを特徴とする（以下、本構成を第４の構成と呼ぶ）。このような構成によれば、光受信装置では検出用信号が初期レベルよりも大きなレベル以上に保たれるので、ノイズを拾いにくくなり、受信側での誤動作が低減する。
【００２１】
また、本発明の光通信システムは、第１〜第４のいずれかの構成の光通信システムにおいて、前記送信装置において、前記ダミーパルス発生手段が前記ダミーパルスを発生させる間隔が可変であることを特徴とする（以下、本構成を第５の構成と呼ぶ）。このような構成によれば、光受信装置にて信号パルスと信号パルスとの間で検出用信号がそれ以上に保たれるレベルを任意に設定することができる。
【００２２】
また、本発明の光送受信装置は、第１〜第５のいずれかの構成の光通信システムが有する前記光送信装置と前記光受信装置とを備えることを特徴とする。これにより、双方向通信を実現できる。
【００２３】
また、本発明の光送受信装置は、第１または第２の構成の光通信システムが有する前記光送信装置と前記光受信装置とを備える光送受信装置であって、受信モードでは、前記光受信装置によって受信された信号の誤りを検出し、誤りの発生状況を示す信号を前記光送信装置を用いて送信し、一方、送信モードでは、前記光受信装置によって受信された信号が示す誤りの発生状況に応じて前記光送信装置が前記ダミーパルスを送信する間隔を制御する信号処理装置を備えることを特徴とする。これにより、通信状況に左右されることなく、ノイズを拾いにくくなり、受信側での誤動作がより確実に低減する。
【００２４】
【発明の実施の形態】
以下に、本発明の実施形態を図面を参照しながら説明する。本発明の第１実施形態である赤外線通信システムの構成を図１に示す。まず、送信側Ｔに設けられた光送信装置１Ａについて説明する。尚、従来技術として示した赤外線通信システムの送信側Ｔに設けられた光送信装置１のブロック図（図１０参照）と同一部分には同一符号を付して説明を省略する。
【００２５】
光送信装置１Ａの端子ＩＮに入力された信号は変調回路１１に入力される。変調回路１１は入力された信号に応じて一定の振幅及び一定のパルス幅をもつ信号パルスを発生させることにより変調を行うとともに、ダミーパルス発生回路１４に対してタイミングを与える信号を出力する。ダミーパルス発生回路１４は、変調回路１１から与えられるタイミングで一定の振幅及び一定のパルス幅（但し、パルス幅については、信号パルスと異なるものとする）を有するダミーパルスを出力する。
【００２６】
尚、変調回路１１は、図２に示すように、信号パルスＳＰ１と信号パルスＳＰ２との間に、先の信号パルスＳＰ１を基準として所定の間隔Ｔを設けてダミーパルスＤＰが生じるように、且つ、後ろの信号パルスＳＰ２とダミーパルスＤＰとが重ならないようにダミーパルス発生回路１４に対してタイミングを与える。
【００２７】
ドライブ回路１２は信号パルス及びダミーパルスの期間に一定の電流を発光素子１３に流す。これにより、信号パルスとダミーパルスとでパルス幅が異なっていることから、受信側では、受信パルスのパルス幅が信号パルスに対応するものとダミーパルスに対応するものとで異なることになる。
【００２８】
次に、受信側Ｒに設けられた光受信装置２Ａについて説明する。尚、従来技術として示した赤外線通信システムの受信側Ｒに設けられた光受信装置２のブロック図（図１０参照）と同一部分には同一符号を付して説明を省略する。
【００２９】
ダミーパルス除去回路２７は、信号パルスに対応するものとダミーパルスに対応するものとで受信パルスのパルス幅が異なることに基づいて、受信パルスの中からダミーパルスに対応するものを検出して除去する。ダミーパルス除去回路２７を介した受信電気信号がヒステリシスコンパレータ２５の反転入力端子（−）に入力される。
【００３０】
以上の構成により、本第１実施形態では、受信側Ｒに設けられた光受信装置２Ａの各ノードＡ、Ｂ、Ｂ’、Ｃ、Ｄの電圧波形は図３に示すようになり、光受信装置２Ａでは検出用信号Ｃが初期レベルよりも大きなレベル以上に保たれるので、ノイズＮを拾いにくくなり、受信側Ｒでの誤動作が低減する。
【００３１】
尚、ダミーパルスは信号パルスと信号パルスとの間にのみ挿入されるので、最後の信号パルスの後は、検出用信号は、従来通り、ある時定数をもって初期レベルに戻るので、次の光送信装置からの信号が受信可能となるまでの時間が長くなることはなく、光通信システムの伝送速度を低下させることはない。
【００３２】
また、本第１実施形態では、信号パルスとダミーパルスとのパルス幅を異なるものとしているが、このようにダミーパルスのパルス幅を規定する代わりに、発光素子１３に一定の電流を流す時間を信号パルスとダミーパルスとで異なるものとするようにドライブ回路１２を構成することにより、受信パルスのうち信号パルスに対応するものとダミーパルスに対応するものとでパルス幅が異なるようにしてもよい。
【００３３】
また、本第１実施形態では、アンプ２３から出力される信号をそのままヒステリシスコンパレータ２５に入力した場合、ヒステリシスコンパレータ２５から出力される２値信号において発生するパルスについても、信号パルスに対応するものとダミーパルスに対応するものとでパルス幅が異なるので、ダミーパルス除去回路２７をヒステリシスコンパレータ２５の後段に設けるようにしてもよい。
【００３４】
本発明の第２実施形態である赤外線通信システムについて説明する。まず、送信側Ｔについて説明する。送信側Ｔに設けられた光送信装置のブロック図は、上記第１実施形態の送信側Ｔに設けられた光送信装置１Ａのブロック図（図１参照）と同一であるが、ドライブ回路１２の動作が異なっているので、この点に関して説明する。
【００３５】
本第２実施形態では、ドライブ回路１２は信号パルスの期間とダミーパルスの期間とで異なる値の電流を発光素子１３に流す。具体的には、ダミーパルスの期間には、信号パルスの期間に流す電流よりも小さな値の電流を流す。これにより、送信側Ｔからは、信号パルスとダミーパルスとが異なる強度の赤外線で送信される。よって、受信側Ｒでは、受信パルスの振幅が信号パルスに対応するものとダミーパルスに対応するものとで異なることになる。
【００３６】
次に、受信側Ｒについて説明する。受信側Ｒに設けられた光受信装置のブロック図は、上記第１実施形態の受信側Ｒに設けられた光受信装置２Ａのブロック図（図１参照）と同一であるが、ダミーパルス除去回路２７の動作が異なっているので、この点に関して説明する。
【００３７】
ダミーパルス除去回路２７は、信号パルスに対応するものとダミーパルスに対応するものとで受信パルスの振幅が異なることに基づいて、受信パルスの中からダミーパルスに対応するものを検出して除去する。
【００３８】
以上の構成により、本第２実施形態では、受信側Ｒに設けられた光受信装置の図１中の各ノードＡ、Ｂ、Ｂ’、Ｃ、Ｄの電圧波形は図４に示すようになり、光受信装置では検出用信号Ｃが初期レベルよりも大きなレベル以上に保たれるので、ノイズＮを拾いにくくなり、受信側Ｒでの誤動作が低減する。
【００３９】
尚、本第２実施形態では、受信パルスのうち信号パルスに対応するものとダミーパルスに対応するものとで振幅が異なるようにするにあたって、ダミーパルスの期間には、信号パルスの期間に流す電流よりも小さな値の電流を発光素子に流すように構成しているが、このようにする代わりに、信号パルスとダミーパルスとで振幅を異なるものとし、信号パルスの期間には信号パルスの振幅に応じた電流を、ダミーパルスの期間にはダミーパルスの振幅に応じた電流を、それぞれ発光素子に流すように構成するようにしてもよい。
【００４０】
本発明の第３実施形態の赤外線通信システムの構成を図５に示す。送信側Ｔに設けられた光送信装置１Ｂは、上記第１または第２実施形態の送信側Ｔに設けられた光送信装置において、与えられる副搬送波ｃにそれぞれ信号パルス、ダミーパルスを重畳する副搬送波変調回路１５、１６をドライブ回路１２の前段に設けた構成となっている。
【００４１】
また、本第３実施形態では、受信側Ｒに設けられた光受信装置２Ｂが、上記第１または第２実施形態の受信側Ｒに設けられた光受信装置において、副搬送波の周波数を中心周波数とするバンドパスフィルタ、及び、該バンドパスフィルタを介した信号から受信パルスを抽出する検波回路からなる副搬送波復調回路２８をアンプ２３の後段に設けた構成となっている。
【００４２】
本第３実施形態では、このように、信号パルス及びダミーパルスを副搬送波に乗せて送信するようになっているので、通信距離を伸ばすことができる。尚、本第３実施形態では、信号パルスとダミーパルスとを別個に副搬送波に重畳するようになっているが、信号パルスとダミーパルスとを合成して副搬送波に重畳するようにしてもよい。
【００４３】
本発明の第４実施形態である赤外線通信システムの構成を図６に示す。送信側Ｔに設けられた光送信装置１Ｃは、上記第３実施形態の送信側Ｔに設けられた光送信装置１Ｂにおいて、副搬送波変調回路１５、１６に副搬送波としてそれぞれ周波数ｆ１の第１副搬送波ｃ１、周波数ｆ２の第２副搬送波ｃ２をそれぞれ与えるようになっている。すなわち、信号パルスとダミーパルスとを異なる周波数の副搬送波に重畳するようになっている。
【００４４】
また、本第４実施形態では、受信側Ｒに設けられた光受信装置２Ｃは、上記第３実施形態の受信側Ｒに設けられた光受信装置２Ｂのブロック図（図５参照）と同一であるが、副搬送波復調回路２８のバンドパスフィルタの中心周波数が、信号パルスを重畳する第１副搬送波ｃ１の周波数ｆ１に設定されている。
【００４５】
したがって、副搬送波復調回路２８にて抽出された受信パルスの振幅は信号パルスに対応するものの方がダミーパルスに対応するものよりも大きくなるので、これに基づいてダミーパルス除去回路２７は受信パルスの中からダミーパルスに対応するものを検出して除去する。
【００４６】
以上の構成により、本第４実施形態では、受信側Ｒに設けられた光受信装置２Ｃの各ノードＡ、Ｂ、Ｂ’、Ｃ、Ｄに対応する電圧波形は上記第２実施形態における場合と同じく図４に示すようになり、光受信装置では検出用信号が初期レベルよりも大きなレベル以上に保たれるので、ノイズＮを拾いにくくなり、受信側Ｒでの誤動作が低減する。
【００４７】
本発明の第５実施形態である赤外線通信システムでは、図７にその構成を示すように、送信側Ｔと受信側Ｒの両方に、上記第１実施形態の送信側Ｔに設けられた光送信装置１Ａ、及び、受信側Ｒに設けられた光受信装置２Ａから成る光送受信装置を設けることによって、双方向通信を実現している。尚、上記各第２、第３、第４実施形態における光送信装置及び光受信装置を送信側Ｔと受信側Ｒの両方に設けるようにしてもよい。
【００４８】
本発明の第６実施形態である赤外線通信システムでは、図８にその構成を示すように、上記第５実施形態において、光送信装置１Ａの変調回路１１がダミーパルス発生回路１４にタイミングを与える間隔を端子Ｔに入力される信号に基づいて調整するようになっている。
【００４９】
すなわち、光送信装置１Ａでは、ダミーパルスを送信する間隔が可変となっている。これにより、光送信装置１Ａから送信される信号を受信する光受信装置２Ａにて信号パルスと信号パルスとの間で検出用信号がそれ以上に保たれるレベル（以下、「下限レベル」と言う）を任意に設定することができるようになる。
【００５０】
尚、本第６実施形態では、上記第５実施形態において光送信装置から信号パルスと信号パルスとの間にダミーパルスが送信される間隔を可変としているが、上記各第１、第２、第３、第４実施形態において、光送信装置から信号パルスと信号パルスとの間にダミーパルスが送信される間隔を可変とするようにしてもよい。
【００５１】
また、本第６実施形態では、ダミーパルスの送信間隔を調整することによって、下限レベルを任意に設定することができるようにしているが、ダミーパルスのパルス幅あるいはダミーパルスの振幅を調整することによって、下限レベルを任意に設定することができるようにしてもよい。
【００５２】
本発明の第７実施形態である赤外線通信システムの構成を図９に示す。本第７実施形態では、送信側Ｔと受信側Ｒの両方に光送信装置１Ａ、光受信装置２Ａ、及び、信号処理装置３から成る光送受信装置を設けている。
【００５３】
信号処理装置３は、受信モードでは、光受信装置２Ａによって受信された信号の誤りを検出し、誤りの発生状況を示す信号を光送信装置１Ａを用いて送信する。また、信号処理装置３は、送信モードでは、光受信装置２Ａによって受信された信号に基づいて受信側での誤りの発生状況を認識し、光送信装置１Ａの変調回路１１がダミーパルス発生回路１４に与えるタイミングを、受信側での誤りの発生状況に応じて調整することによって、光送信装置１Ａがダミーパルスを送信する間隔が受信側での誤りが多いほど短くなるように制御する。
【００５４】
ここで、ダミーパルスを送信する間隔が一定であるとすると、通信状況によっては、受信パルスの振幅が小さく、あるいは、受信側でのノイズが大きいなどの理由から、ダミーパルスを送信しているにもかかわらず、相変わらずノイズを拾いやすく、受信側での誤動作がそれほど低減しない場合が考えられ得る。
【００５５】
これに対して、本第７実施形態では、受信側での誤動作が多いほど、送信側の光送信装置ではダミーパルスの送信間隔を短くし、これにより、受信側の光受信装置では検出用信号の下限レベルが大きくなるので、通信状況に左右されることなく、ノイズを拾いにくくなり、受信側Ｒでの誤動作がより確実に低減する。
【００５６】
尚、上記各実施形態は、受信パルスが正のパルスである場合のものであるが、受信パルスが負のパルスである場合にも適用可能である。また、本発明は、赤外線を用いた通信システムに限定されるものではなく、その他の光信号を用いた通信システムであってもよいことは勿論である。
【００５７】
【発明の効果】
以上説明したように、本発明の光通信システムでは、受信側の光受信装置では信号パルスと信号パルスとの間にて検出用信号が従来よりも大きなレベル以上に保たれるので、ノイズを拾いにくくなり、受信側での誤動作が低減する。
【００５８】
また、本発明の光送受信装置を用いた光通信システムでは、受信側Ｒでの誤動作が多いほど、送信側Ｔの光送信装置ではダミーパルスの送信間隔を短くし、これにより、受信側の光受信装置では検出用信号の下限レベルが高くなるので、通信状況に左右されることなく、ノイズを拾いにくくなり、受信側Ｒでの誤動作がより確実に低減する。
【図面の簡単な説明】
【図１】本発明の第１及び第２実施形態である赤外線通信システムの構成を示す図である。
【図２】２つの信号パルス間にダミーパルスが送信される様子を示す図である。
【図３】第１実施形態における受信側の光受信装置の各ノードの電圧波形を示す図である。
【図４】第２実施形態における受信側の光受信装置の各ノードの電圧波形を示す図である。
【図５】本発明の第３実施形態である赤外線通信システムの構成を示す図である。
【図６】本発明の第４実施形態である赤外線通信システムの構成を示す図である。
【図７】本発明の第５実施形態である赤外線通信システムの構成を示す図である。
【図８】本発明の第６実施形態である赤外線通信システムの構成を示す図である。
【図９】本発明の第７実施形態である赤外線通信システムの構成を示す図である。
【図１０】赤外線通信システムの従来の一構成例を示す図である。
【図１１】検出用信号を説明するための図である。
【図１２】従来の赤外線通信システムにおける受信側の光受信装置の各ノードの電圧波形を示す図である。
【図１３】従来の赤外線通信システムにおける問題点を説明するための図である。
【符号の説明】
１Ａ、１Ｂ、１Ｃ    光送信装置
２Ａ、２Ｂ、２Ｃ    光受信装置
３    信号処理回路
１１    変調回路
１２    ドライブ回路
１３    発光素子
１４    ダミーパルス発生回路
１５、１６    副搬送波変調回路
２１    受光素子
２２    電流／電圧変換回路
２３    アンプ
２４    検出用信号生成回路
２５    ヒステリシスコンパレータ
２６    復調回路
２７    ダミーパルス除去回路
２８    副搬送波復調回路
【図１】
0003622781.tif 000002
【図２】
0003622781.tif 000003
【図３】
0003622781.tif 000004
【図４】
0003622781.tif 000005
【図５】
0003622781.tif 000006
【図６】
0003622781.tif 000007
【図７】
0003622781.tif 000008
【図８】
0003622781.tif 000009
【図９】
0003622781.tif 000010
【図１０】
0003622781.tif 000011
【図１１】
0003622781.tif 000012
【図１２】
0003622781.tif 000013
【図１３】
0003622781.tif 000014